(57)【特許請求の範囲】
【請求項１】
チューナ機能部が形成されたチューナモジュール基板と、
少なくとも上記チューナモジュール基板を内蔵するように保持するシールド機能を有するケース体と、
上記チューナモジュール基板が実装される回路基板と、
上記ケース体に固定され、芯線が上記ケース体に内蔵される上記チューナモジュール基板に接続される少なくとも一つのアンテナコネクタと、を有し、
上記回路基板の一部が上記ケース体の内部に内含され、
上記チューナモジュール基板は、
縁部に上記ケース体に係止される被係止部が形成され、
上記ケース体は、
基面部と、
上記基面部の縁部に形成された側部と、
を有する枠型に形成され、
上記側部は、
上記基面部から第１の高さをもって形成され、上記チューナモジュール基板の上記被係止部が係止される係止部と、
上記基面部から上記第１の高さより高い第２の高さをもって形成され、上記回路基板の一部を支持する支持部と、を含む
チューナモジュール。
【請求項２】
上記ケース体は、
上記基面部から上記第２の高さより高い第３の高さをもって形成され、芯線がケース体内に臨むように上記アンテナコネクタが固定されるコネクタ固定部を含む
請求項１記載のチューナモジュール。
【請求項３】
上記アンテナコネクタは、
外径が上記コネクタ固定部の上記第３の高さと同等であり、
上記チューナモジュール基板の上記被係止部が上記係止部に係止され、上記回路基板が上記支持部に支持された状態で、上記チューナモジュール基板および上記回路基板の一部が、上記アンテナコネクタの外径より短い高さ内で上記ケース体の内部に内含される
請求項２記載のチューナモジュール。
【請求項４】
上記コネクタ固定部と対向する上記チューナモジュール基板および回路基板の少なくとも一方の基板の一部が、上記アンテナコネクタの固定部を避けるように切り欠いてある
請求項２または３記載のチューナモジュール。
【請求項５】
上記アンテナコネクタの芯線は、当該芯線が接続されるチューナモジュール基板との干渉を避ける円弧の形状を有する
請求項１から４のいずれか一に記載のチューナモジュール。
【請求項６】
チューナ機能部が形成されたチューナモジュール基板と、
少なくとも上記チューナモジュール基板を内蔵するように保持するシールド機能を有するケース体と、
上記チューナモジュール基板が実装される回路基板と、
上記ケース体に固定され、芯線が上記ケース体に内蔵される上記チューナモジュール基板に接続される少なくとも一つのアンテナコネクタと、を有し、
上記回路基板の一部が上記ケース体の内部に内含され、
上記アンテナコネクタの芯線は、当該芯線が接続されるチューナモジュール基板との干渉を避ける円弧の形状を有する
チューナモジュール。
【請求項７】
上記回路基板は、
上記チューナモジュール基板の機能を併せ持ち、上記チューナモジュール基板用の係止位置に配置される
請求項５または６記載のチューナモジュール。
【請求項８】
放送波信号を受信する受信アンテナと、
上記受信アンテナを通して入力した放送波信号の周波数変換機能を含むチューナモジュールと、
周波数変換された受信信号を復調する復調部と、を有し、
上記チューナモジュールは、
チューナ機能部が形成されたチューナモジュール基板と、
少なくとも上記チューナモジュール基板を内蔵するように保持するシールド機能を有するケース体と、
上記チューナモジュール基板が実装される回路基板と、
上記ケース体に固定され、上記受信アンテナに接続され、芯線が上記ケース体に内蔵される上記チューナモジュールに接続されるアンテナコネクタと、を含み、
上記回路基板の一部が上記ケース体の内部に内含され、
上記チューナモジュール基板は、
縁部に上記ケース体に係止される被係止部が形成され、
上記ケース体は、
基面部と、
上記基面部の縁部に形成された側部と、
を有する枠型に形成され、
上記側部は、
上記基面部から第１の高さをもって形成され、上記チューナモジュール基板の上記被係止部が係止される係止部と、
上記基面部から上記第１の高さより高い第２の高さをもって形成され、上記回路基板の一部を支持する支持部と、を含む
受信装置。
【請求項９】
上記ケース体は、
上記基面部から上記第２の高さより高い第３の高さをもって形成され、芯線がケース体内に臨むように上記アンテナコネクタが固定されるコネクタ固定部を含む
請求項８記載の受信装置。
【請求項１０】
上記アンテナコネクタは、
外径が上記コネクタ固定部の上記第３の高さと同等であり、
上記チューナモジュール基板の上記被係止部が上記係止部に係止され、上記回路基板が上記支持部に支持された状態で、上記チューナモジュール基板および上記回路基板の一部が、上記アンテナコネクタの外径より短い高さ内で上記ケース体の内部に内含される
請求項９記載の受信装置。
【請求項１１】
上記コネクタ固定部と対向する上記チューナモジュール基板および回路基板の少なくとも一方の基板の一部が、上記アンテナコネクタの固定部を避けるように切り欠いてある
請求項９または１０記載の受信装置。
【請求項１２】
上記アンテナコネクタの芯線は、当該芯線が接続されるチューナモジュール基板との干渉を避ける円弧の形状を有する
請求項８から１１のいずれか一に記載の受信装置。
【請求項１３】
放送波信号を受信する受信アンテナと、
上記受信アンテナを通して入力した放送波信号の周波数変換機能を含むチューナモジュールと、
周波数変換された受信信号を復調する復調部と、を有し、
上記チューナモジュールは、
チューナ機能部が形成されたチューナモジュール基板と、
少なくとも上記チューナモジュール基板を内蔵するように保持するシールド機能を有するケース体と、
上記チューナモジュール基板が実装される回路基板と、
上記ケース体に固定され、上記受信アンテナに接続され、芯線が上記ケース体に内蔵される上記チューナモジュールに接続されるアンテナコネクタと、を含み、
上記回路基板の一部が上記ケース体の内部に内含され、
上記アンテナコネクタの芯線は、当該芯線が接続されるチューナモジュール基板との干渉を避ける円弧の形状を有する
受信装置。
【請求項１４】
上記回路基板は、
上記チューナモジュール基板の機能を併せ持ち、上記チューナモジュール基板用の係止位置に配置される
請求項１２または１３記載の受信装置。
【発明の詳細な説明】
【技術分野】
【０００１】
本発明は、テレビジョンチューナ等に適用可能なチューナモジュールおよび受信装置に関するものである。
【背景技術】
【０００２】
近年、高周波モジュールの一例であるテレビジョン（ＴＶ）チューナはＴＶ受信機のみならず、パーソナルコンピュータ（ＰＣ）などのＩＴ機器にも内蔵されるようになっている。
これらのＴＶやＰＣは年々、小型、薄型化して利便性を高めており、チューナモジュールにおいても薄型化が重要な課題になってきている。
【０００３】
ＴＶチューナの形状およびその実装方法を示すものとして、たとえば第１の例が特許文献１に開示され、第２の例が特許文献２に開示されている。
【０００４】
第１の例では、入力コネクタ(アンテナコネクタ)を取り付けるシャーシの接面の外形がシャーシアングル部よりも厚くなることが特徴となるように構成されている。
この形状は、チューナ単体の筐体について薄くすることを目的に最適化したもので、入力コネクタの外径によって厚みが決定される構造になっている。
【０００５】
第２の例では、入力コネクタ取り付け箇所の下部をチューナが搭載される回路基板に当接させ、同時に同様の高さで前記回路基板に当接させる他の足部と組み合わせて取り付ける構造にしたものが記載されている。
この方法によってもチューナの厚さは概ね入力コネクタの外径に決定される。
【先行技術文献】
【特許文献】
【０００６】
【特許文献１】特許第３４１１４６１号
【特許文献２】特開２００４−２２９２１２号公報
【発明の概要】
【発明が解決しようとする課題】
【０００７】
ところが、第１の例では入力コネクタの取り付け部とシャーシアングル部は同時に共通のカバーによって上下面から覆われて固定される構造になっている。
この場合、均一な面を構成するカバーの表面を基準に考えると前記入力コネクタの外接部とシャーシアングル部の厚さを著しく大きくしてもカバーで覆われた後には、厚さが大きい前記入力コネクタの外接部の寸法に概等しい高さにせざるを得ない。
したがって、チューナ全体の厚さを入力コネクタの外径よりも多少小さくできるか、あるいはカバーを掛けることで殆ど薄くならない構成である。
【０００８】
さらに第２の例でも、チューナとチューナを搭載する基板の上に載せる形で搭載する構造であることから、チューナ部の厚さは前記回路基板の厚さが加えられる。すなわち、回路基板の厚さに入力コネクタの外径にほぼ等しい厚さが加算される構造である。
この例も同様に、チューナ全体の厚さは入力コネクタの外径に概等しい厚さのチューナしか実現できず、さらにこの形状のまま回路基板に乗る構成のため最終的には回路基板の厚さが更に加算される構造体になってしまい、薄型化の限界がある。
【０００９】
以上説明したように、従来技術を用いたチューナ構造では、回路基板の上にマウントする構造になっているので、チューナの厚さ寸法は回路基板の厚さに純粋に加算されることになる。
そのため、チューナ部の厚さ寸法を薄くするのに、チューナ部に固定される入力コネクタの厚さが下限になってしまうことが前記の２つの文献からも容易に分かる。
【００１０】
近年特に薄型化が進む液晶ＴＶでは、このようなチューナの高さも無視できないサイズになってきている。
基板の上に搭載されるチューナの取り付け構造では、アンテナからの入力ケーブルを接続する入力コネクタ部の中心が回路基板とチューナの合算された厚さの中点からオフセットされた位置に配されることも容易に予想できる。
この場合、実際にＴＶへケーブルを接続する場合にも作業するスペースが狭くなってしまう不具合も起こりやすい。
【００１１】
本発明は、チューナモジュールを回路基板に搭載したときの全体の厚さ寸法をチューナモジュールの厚さ寸法と同じ大きさに抑えることができ、全体の厚さ寸法を極めて薄くすることができ、かつ低コストを実現することが可能なチューナモジュールおよび受信装置を提供することにある。
【課題を解決するための手段】
【００１２】
本発明の第１の観点のチューナモジュールは、チューナ機能部が形成されたチューナモジュール基板と、少なくとも上記チューナモジュール基板を内蔵するように保持するシールド機能を有するケース体と、上記チューナモジュール基板が実装される回路基板と、上記ケース体に固定され、芯線が上記ケース体に内蔵される上記チューナモジュール基板に接続される少なくとも一つのアンテナコネクタと、を有し、上記回路基板の一部が上記ケース体の内部に内含され、上記チューナモジュール基板は、縁部に上記ケース体に係止される被係止部が形成され、上記ケース体は、基面部と、上記基面部の縁部に形成された側部と、を有する枠型に形成され、上記側部は、上記基面部から第１の高さをもって形成され、上記チューナモジュール基板の上記被係止部が係止される係止部と、上記基面部から上記第１の高さより高い第２の高さをもって形成され、上記回路基板の一部を支持する支持部と、を含む。
また、本発明の第１の観点のチューナモジュールは、チューナ機能部が形成されたチューナモジュール基板と、少なくとも上記チューナモジュール基板を内蔵するように保持するシールド機能を有するケース体と、上記チューナモジュール基板が実装される回路基板と、上記ケース体に固定され、芯線が上記ケース体に内蔵される上記チューナモジュール基板に接続される少なくとも一つのアンテナコネクタと、を有し、上記回路基板の一部が上記ケース体の内部に内含され、上記アンテナコネクタの芯線は、当該芯線が接続されるチューナモジュール基板との干渉を避ける円弧の形状を有する。
【００１３】
本発明の第２の観点の受信装置は、放送波信号を受信する受信アンテナと、上記受信アンテナを通して入力した放送波信号の周波数変換機能を含むチューナモジュールと、周波数変換された受信信号を復調する復調部と、を有し、上記チューナモジュールは、チューナ機能部が形成されたチューナモジュール基板と、少なくとも上記チューナモジュール基板を内蔵するように保持するシールド機能を有するケース体と、上記チューナモジュール基板が実装される回路基板と、上記ケース体に固定され、上記受信アンテナに接続され、芯線が上記ケース体に内蔵される上記チューナモジュールに接続されるアンテナコネクタと、を含み、上記回路基板の一部が上記ケース体の内部に内含され、上記チューナモジュール基板は、縁部に上記ケース体に係止される被係止部が形成され、上記ケース体は、基面部と、上記基面部の縁部に形成された側部と、を有する枠型に形成され、上記側部は、上記基面部から第１の高さをもって形成され、上記チューナモジュール基板の上記被係止部が係止される係止部と、上記基面部から上記第１の高さより高い第２の高さをもって形成され、上記回路基板の一部を支持する支持部と、を含む。
また、本発明の第２の観点の受信装置は、放送波信号を受信する受信アンテナと、上記受信アンテナを通して入力した放送波信号の周波数変換機能を含むチューナモジュールと、周波数変換された受信信号を復調する復調部と、を有し、上記チューナモジュールは、チューナ機能部が形成されたチューナモジュール基板と、少なくとも上記チューナモジュール基板を内蔵するように保持するシールド機能を有するケース体と、上記チューナモジュール基板が実装される回路基板と、上記ケース体に固定され、上記受信アンテナに接続され、芯線が上記ケース体に内蔵される上記チューナモジュールに接続されるアンテナコネクタと、を含み、上記回路基板の一部が上記ケース体の内部に内含され、上記アンテナコネクタの芯線は、当該芯線が接続されるチューナモジュール基板との干渉を避ける円弧の形状を有する。
【発明の効果】
【００１４】
本発明によれば、チューナモジュールを回路基板に搭載したときの全体の厚さ寸法をチューナモジュールの厚さ寸法と同じ大きさに抑えることができ、全体の厚さ寸法を極めて薄くすることができ、かつ低コストを実現することができる。
【図面の簡単な説明】
【００１５】
【図１】本発明の第１の実施形態に係るチューナモジュールの上面側からみた構成例を示す斜視図である。
【図２】本発明の第１の実施形態に係るチューナモジュールの底面側からみた構成例を示す斜視図である。
【図３】本発明の第１の実施形態に係るチューナモジュールの構成例を示す簡略断面図である。
【図４】本発明の第２の実施形態に係るチューナモジュールの構成例を示す簡略断面図である。
【図５】本発明の第３の実施形態に係るチューナモジュールの構成例を示す簡略断面図である。
【図６】本実施形態に係るチューナモジュールを採用した受信装置の構成例を示す図である。
【発明を実施するための形態】
【００１６】
以下、本発明の実施形態を図面に関連付けて説明する。
なお、説明は以下の順序で行う。
１．第１の実施形態（チューナモジュールの第１の構成例）
２．第２の実施形態（チューナモジュールの第２の構成例）
３．第３の実施形態（チューナモジュールの第３の構成例）
４．第４の実施形態（受信装置の構成例）
【００１７】
＜１．第１の実施形態＞
図１は、本発明の第１の実施形態に係るチューナモジュールの上面側からみた構成例を示す斜視図である。
図２は、本発明の第１の実施形態に係るチューナモジュールの底面側からみた構成例を示す斜視図である。
図３は、本発明の第１の実施形態に係るチューナモジュールの構成例を示す簡略断面図である。
【００１８】
本第１の実施形態に係るチューナモジュール１０は、チューナ機能部が形成されたチューナモジュール基板１１、およびチューナモジュール基板１１が実装される主基板としての回路基板１２を有する。
チューナモジュール１０は、チューナモジュール基板１１を内蔵するように保持し、シールドケースとして機能を有するケース体１３を有する。
チューナモジュール１０は、ケース体１３に固定され、芯線１４１がケース体１３に内蔵されるチューナモジュール基板１１に接続される少なくとも一つのアンテナコネクタ１４を有する。
【００１９】
チューナモジュール基板１１は、主面１１ａにたとえばテレビジョン（ＴＶ）チューナモジュール機能部としての回路（ＩＣ）１１１が形成（搭載）されている。
このチューナモジュール基板１１は、回路基板１２上に実装される。
チューナモジュール基板１１は、ケース体１３の収容空間１３５内に収まる大きさの矩形状に形成されている。
チューナモジュール基板１１は、アンテナコネクタ１４の芯線１４１が挿通されるスルーホール１１２が形成されている。
チューナモジュール基板１１は、ケース体１３の基面部ＢＳの一部を内方に切り起こした切り起こし部１３１が挿通されるスルーホール１１３が形成されている。
【００２０】
チューナモジュール基板１１は、上述したように、矩形状を有し、周囲の縁部の一部に一または複数の被係止部１１４が形成されている。
この被係止部１１４は、チューナモジュール基板１１がケース体１３の収容空間１３５に収容される状態で、後述するケース体１３側に形成される係止部１３７に係止されて、ケース体１３にチューナモジュール基板１１を収容空間内の安定な位置に保持させる。
【００２１】
さらに、チューナモジュール基板１１は、アンテナコネクタ１４の外周部とケース体１３を嵌合させるカシメ加工部がチューナモジュール基板１１に干渉するのを避けるため、基板の端部に切り込み部１１５が形成されている。
チューナモジュール基板１１にこの切り込み部１１５を持たせることによって、より安定した位置決めができるようになっている。
【００２２】
回路基板１２は、チューナモジュール基板１１より大きい基板であり、ケース体１３に形成される挿入子１３２−１〜１３２−４が挿入される挿入孔１２１−１〜１２１−４が形成されている。
回路基板１２は、挿入孔１２１−１〜１２１−４に挿入子１３２−１〜１３２−４が挿入され、ケース体１３の収容空間１３５内でケース体１３に形成される支持部１３３に支持されて、ケース体１３内にその一部が内含される。
回路基板１２は、ケース体１３に形成される信号や電源用にピンコネクタ１５が接続される。
【００２３】
さらに、回路基板１２は、チューナモジュール基板１１と同様、アンテナコネクタ１４の外周部とケース体１３を嵌合させるカシメ加工部が回路基板１２に干渉するのを避けるため、基板の端部に切り込み部１２２が形成されている。
回路基板１２にこの切り込み部１２２を持たせることによって、より安定した位置決めができるようになっている。
そして、この切り込み部１２２の両側には、ケース体１３に形成される係止片１３４−１，１３４−２が挿入されるスリット部１２３−１，１２３−２が形成されている。
【００２４】
ケース体１３は、一面側（底面側）が開口した枠型の直方体形状に形成されている。
ケース体１３は、少なくとも一つのアンテナコネクタ１４がカシメ嵌合によって固定されている。
ケース体１３は、その厚さは、後述するように、アンテナコネクタ１４の外径と同等となるように形成されている。この場合、アンテナコネクタ１４は外観が扁平となるように形成される。
ケース体１３は、チューナモジュール基板１１を覆うように、その収容空間１３５内に収容し、回路基板１２に対して挿入子１３２−１〜１３２−４により半田等により固定される。
【００２５】
本実施形態のシールドケースとして機能するケース体１３は、薄い材料であって半田付け性に優れる銅、ニッケル、亜鉛の合金である通称、洋白と呼ばれる金属が用いられる。
ただし、ケース体１３としては、一般に導電性が優れていれば問題無いため、形状の制約がゆるい場合は安価なブリキ材やその類似品を用いることも可能である。
【００２６】
ケース体１３は、固定状態で上面となる矩形の基面部ＢＳと、基面部ＢＳの縁部に形成された側部ＳＤ１，ＳＤ２，ＳＤ３，ＳＤ４を有する略枠型に形成されている。
基面部ＢＳの略中央部には基面部ＢＳの一部を内方に切り起こした切り起こし部１３１が形成されている。
本例では、図１に示すように、切り起こし部１３１は、２箇所に形成されている。切り起こし部１３１は、チューナモジュール基板１１に形成されたスルーホール１１３に挿通（貫通）され、基板グランドに接続された状態で半田等により固定される。
【００２７】
側部ＳＤ１には、芯線１４１がケース体１３内に臨むようにアンテナコネクタ１４が固定されるコネクタ固定部１３６が形成されている。
ケース体１３のコネクタ固定部１３６には、アンテナコネクタ１４がカシメ嵌合によって固定されている。
また、側部ＳＤ１，ＳＤ２、あるいはさらに側部ＳＤ３には、チューナモジュール基板１１の被係止部１１４が係止される係止部１３７が形成されている。側部ＳＤ１においては、コネクタ固定部１３６に並列に係止部１３７が形成されている。
係止部１３７は、ケース体１３の収容空間１３５内に安定に保持されるように、複数の側部に形成される。
係止部１３７は、被係止部１１４を所定の高さで支持する機能を有するが、係止部１３７には、たとえば挿入子が形成され、被係止部１１４に形成されている挿入孔を案内して基板グランドと接続するように構成してもよい。
この構成を採用することにより、チューナモジュール基板１１をより安定に保持し固定することができる。
【００２８】
さらに、側部ＳＤ２，ＳＤ３には、収容空間１３５に一部が収容される回路基板１２の基板面１２ａの非導電部に当接して支持する支持部１３３が形成されている。
本実施形態では、側部ＳＤ１と対向する側部ＳＤ３自体が、支持部１３３として機能するように、その高さが設定されている。
また、側部ＳＤ２の両端部には挿入子１３２−１，１３２−２が形成され、側部ＳＤ２に対向する側部ＳＤ４の両端部には挿入子１３２−３，１３２−４が形成されている。
また、側部ＳＤ４にはピンコネクタ１５が配置されている。
【００２９】
ここで、基面部ＢＳを基準とした係止部１３７、支持部１３３、コネクタ固定部１３６の高さについて説明する。ここで、基準とする面は基面部ＢＳの外面でもよいし内面でもよいが、以下の説明では外面を基準として説明する。
【００３０】
係止部１３７は、基面部ＢＳから第１の高さｈ１をもって形成され、チューナモジュール基板１１の被係止部１１４が係止される。
係止部１３７は、基面部ＢＳから第１の高さｈ１の収容空間１３５内にチューナモジュール基板１１を安定に保持し、固定する機能を有する。
【００３１】
支持部１３３は、基面部ＢＳから第１の高さｈ１より高い第２の高さｈ２をもって形成され、回路基板１２の一部を非導電部に当接して支持する。
上述したように、コネクタ固定部１３６を含む側部ＳＤ１と対向する側部ＳＤ３は、側部ＳＤ３自体が支持部１３３として機能するように、側壁として基面部ＢＳから第１の高さｈ１より高い第２の高さｈ２をもって形成されている。
これにより、回路基板１２の一部は、チューナモジュール基板１１と一定の間隔（ｈ２−ｈ１）をもって収容空間１３５内に保持される。
【００３２】
コネクタ固定部１３６は、基面部ＢＳから第２の高さｈ２より高い第３の高さｈ３をもって形成され、芯線１４１がケース体１３内に臨むようにアンテナコネクタ１４が固定される。
アンテナコネクタ１４は、外径がコネクタ固定部１３６の第３の高さｈ３と同等であり、この第３の高さｈ３をもってチューナモジュール１０の厚さが規定される。
このコネクタ固定部１３６と対向するチューナモジュール基板１１の縁部が、アンテナコネクタ１４の外周部とケース体１３を嵌合させるカシメ加工部がチューナモジュール基板１１に干渉するのを避けるため、基板の端部に切り込み部１１５が形成されている。
同様に、コネクタ固定部１３６と対向する回路基板１２の縁部が、アンテナコネクタ１４の外周部とケース体１３を嵌合させるカシメ加工部が回路基板１２に干渉するのを避けるため、基板の端部に切り込み部１２２が形成されている。
【００３３】
チューナモジュール１０は、チューナモジュール基板１１の被係止部１１４が係止部１３７に係止される。
そして、回路基板１２が支持部１３３に支持された状態で、チューナモジュール基板１１および回路基板１２の一部が、アンテナコネクタ１４の外径より短い高さ内でケース体１３の収容空間１３５内に内含される
【００３４】
なお、挿入子１３２−１〜１３２−４は、基面部ＢＳからの高さは、第３の高さｈ３と同じまたは第３の高さｈ３より高い第４の高さｈ４に設定されている。あるいは第４の高さｈ４は、第３の高さｈ３より低い高さに設定することも可能である。
挿入子１３２−１〜１３２−４は、機能的に、回路基板１２の挿入孔１２１−１〜１２１−４に挿入され固定可能であれば良く、その高さは特に限定されるものではない。
【００３５】
アンテナコネクタ１４は、ケース体１３のコネクタ固定部１３６に対して芯線１４１がケース体内に臨むように固定される。
本実施形態のアンテナコネクタ１４は、ケース体１３のコネクタ固定部１３６に対して上述したようにカシメ嵌合によって固定される。
アンテナコネクタ１４は、ケース体１３の内側に折り込まれるカシメ部１４２を有している。そして、このカシメ部１４２をめくりあげてケース体１３を形成する金属板をアンテナコネクタ１４のケース体１３の外部部分とで挟み込む構成によって固定する。
この方法をカシメ加工と呼び、その他の実施形態においても同様に用いられている。
より具体的には、アンテナコネクタ１４は、シェルが充填された誘電体１４３を固定することで同時に、その内部の中心導体１４４を支える構造を有する。この構造のアンテナコネクタ１４がその外周部をカシメ加工させることによって、ケース体１３のコネクタ固定部１３６と接合されている。
【００３６】
アンテナコネクタ１４の芯線１４１はチューナモジュール基板１１と位置規定されたスルーホール１１２で信号の入力端子としたパターンによってチューナモジュール基板１１に電気的に接続されている。
なお、チューナモジュール１０において、アンテナコネクタ１４は、基面部ＢＳに対して固定するように構成することも可能である。
この場合、アンテナコネクタ１４の芯線１４１は、線長を同じに揃えられる。
【００３７】
上述したように、本実施形態のチューナモジュール１０は、チューナ機能部が形成されたチューナモジュール基板１１と、チューナモジュールが実装される回路基板１２と、ケース体１３と、アンテナコネクタ１４と、を有する。
そして、チューナモジュール１０のケース体１３の中に回路基板１２板の一部を内含することで、チューナ取り付け部の厚さがチューナモジュール１０の厚さと同じになるように構成されている。
前述したように、チューナモジュール１０はアンテナコネクタ１４のシェルが充填された誘電体１４３を固定することで同時に、その内部の中心導体１４４を支える構造をとる。そして、アンテナコネクタ１４がその外周部をカシメ加工させることによって、チューナモジュールのケース体１３と接合されている。
また、ケース体１３内部に収容されるチューナモジュール基板１１にはＩＣ１１１に代表される電子部品がマウントされている。
チューナモジュール基板１１は、スルーホール１１３にてケース体１３と半田接合されグランド電位とし、同時にコネクタの中心導体１４４に接続される芯線１４１ともチューナモジュール基板１１上のスルーホール１１２にて接合され、高周波信号が導かれる。
ケース体１３は、チューナが搭載される回路基板１２の挿入孔１２１−１〜１２１−４に挿入子１３２−１〜１３２−４が挿入されて回路基板１２に固定される。
【００３８】
この構成において、ケース体１３の最下部となるコネクタ固定部１３６の端部は回路基板１２に搭載されたとき回路基板１２の底面１２ｂよりも低い構造配置となっており、チューナモジュール１０のケース体１３が回路基板１２の一部を内合する構成となっている。
このとき、ケース体１３は特許文献１に記載されているチューナにおけるカバーを有しておらず、カバーの厚さを排除した分だけ薄い構成となっている。
その結果、ケース体１３の一部を切り起こして内部に隔壁を設けることができないので、折り返すことでケース体１３の上面に生じる穴の大きさをできるだけ小さくするべく、幅１ｍｍ程度の切り起し部１３１が形成されている。
回路基板１２とチューナを接合する挿入子１３２−１〜１３２−４は幅２ｍｍ程度にし、チューナを搭載した時に入力コネクタの重さで傾かない程度の引っかかりを回路基板１２との組み合わせで作る。これと並行して、半田によって回路基板１２に固定されるときに熱容量が大きくなって、半田温度が十分上がらなくならないように配慮している。
【００３９】
本例では全てのアンテナコネクタ１４の芯線１４１の形状をＬ字型にしてあるが、Ｕ字型に円弧を持たせても良いし、屈曲部を複数回にして多角形の一部の如き形状にして芯線長を短くする方法を用いても良い。
そして、その芯線の長さも同様に前記の共振波長よりも短くすることで、不必要な共振を回避させることができる。
【００４０】
＜２．第２の実施形態＞
図４は、本発明の第２の実施形態に係るチューナモジュールの構成例を示す簡略断面図である。
【００４１】
本第２の実施形態に係るチューナモジュール１０Ａが第１の実施形態に係るチューナモジュール１０と異なる点は、次の通りである。
【００４２】
第１の実施形態に係るチューナモジュール１０においては、アンテナコネクタ１４の中心導体１４４に接続される芯線１４１の形状をＬ字型にしてある。
これに対して、本第２の実施形態に係るチューナモジュール１０Ａは、アンテナコネクタ１４の芯線１４１の形状が、図中符号ＣＲＬで示すように、チューナモジュール基板１１への接合点の上部で円弧を作る型に変形されている。
この円弧形状により、アンテナコネクタ１４の外周部の内部にある部分での位置がほぼ中心位置に配することができる。
その結果、アンテナコネクタ１４の外周部の同心円状のどの位置からも中心導体１４４への空隙が同じ長さにできるので高周波的な電気インピーダンスが周波数によって変化しにくい特徴を持たせることができる。
さらに、中心導体１４４に接続される芯線１４１の円弧部分がバネ性を持つのでアンテナケーブルの芯線１４１が中心導体１４４に接触する際に生じる機械的なストレスがあった場合も柔軟にアンテナ芯線との接合を保つことができる。
したがって、チューナモジュール基板１１との接合点における半田接合への負担を軽減できる。
【００４３】
＜３．第３の実施形態＞
図５は、本発明の第３の実施形態に係るチューナモジュールの構成例を示す簡略断面図である。
【００４４】
本第３の実施形態に係るチューナモジュール１０Ｂが第２の実施形態に係るチューナモジュール１０Ａと異なる点は、次の通りである。
本第３の実施形態に係るチューナモジュール１０Ｂにおいては、回路基板１２Ｂがチューナモジュール基板の機能を併せ持ち、チューナモジュール基板用の係止位置に配置されている。
すなわち、チューナモジュール１０Ｂは、回路基板１２Ｂの配置位置を係止部１３７で係止される位置とすることで、回路基板１２のほぼ延長上にアンテナコネクタ１４が配置される構成を取ることができる。
この場合にも第２の実施形態に用いられた中心導体１４４に接続される芯線１４１の円弧部分があるので回路基板１２と干渉しないように配置することができる。
これによって、回路基板１２を搭載する、たとえばＴＶなどの内部機構設計に色々なバリエーションを与えることが出来る。
本例においてはチューナの回路素子１１１は直接回路基板１２に搭載されるので、オンボードチューナと呼ばれることもある。
【００４５】
以上説明したように、本実施形態のチューナモジュールによれば、以下の効果を得ることができる。
すなわち、本実施形態のチューナモジュールによれば、チューナモジュールを回路基板１２に搭載した時の全体の厚さ寸法をチューナモジュールの厚さ寸法と同じ大きさに抑えることができる。したがって、チューナモジュールが搭載されるたとえばＴＶセットの形状も薄くすることができる。
また、第３の実施形態のように回路基板１２Ｂがチューナモジュール基板の機能を併せ持ち、チューナモジュール基板用の係止位置に配置されることにより、アンテナコネクタ１４の中心を回路基板の部品搭載面と殆ど同一線上に配することができるようになる。
このため、たとえばＴＶセットから外部に露出させる入力コネクタの上下方向の配置に自由度が広がるので、実際にアンテナケーブルを接続する作業を容易にすることができる。
【００４６】
このような構成を有するチューナモジュールは、ＴＶ受信機等の受信装置に適用することができる。
【００４７】
＜４．第４の実施形態＞
図６は、本実施形態に係るチューナモジュールを採用した受信装置の構成例を示す図である。
この受信装置２０は、たとえば地上放送波信号あるいは衛星放送波信号を受信可能に構成される。
受信装置２０は、図６に示すように、放送波信号を受信する受信アンテナ２１、周波数変換機能を含むチューナモジュール２２、および復調部２３を有する。
チューナモジュール２２として、前述した第１から第３の実施形態に係るチューナモジュール１０，１０Ａ，１０Ｂを採用することが可能である。
【００４８】
チューナモジュール２２は、チューナモジュール１０，１０Ａ，１０Ｂのアンテナコネクタ１４に相当するアンテナコネクタ２２１、フィルタ（ＦＬＴ）２２２、低雑音増幅器（Low Noise Amplifier：ＬＮＡ）２２３、チューナ部２２４を有する。
【００４９】
フィルタ２２２は、受信する放送波に応じてハイパスフィルタ（ＨＰＦ）、バンドパスフィルタ（ＢＰＦ）、あるいはローパスフィルタ（ＬＰＦ）が適宜適用される。
ＬＮＡ２２３は、フィルタ２２２を介した放送波信号を増幅してチューナ部２２４に供給する。
チューナ２２４部は、受信信号が衛星放送波信号の場合、ベースバンド信号に周波数変換し、地上放送波信号の場合、中間周波信号に周波数変換して復調部２３に出力する。
【００５０】
復調部２３は、受信信号が衛星放送波信号の場合、ベースバンド信号の映像信号および音声信号を復調し、トランスポートストリームを生成する。
復調部２３は、受信信号がデジタル地上放送波信号の場合、中間周波信号の映像信号および音声信号を復調し、トランスポートストリームを生成する。
復調部２３は、受信信号がアナログ地上放送波信号の場合、中間周波信号の映像信号および音声信号を復調し、アナログ映像信号およびアナログ音声信号を生成する。
【００５１】
本受信装置によれば、第１から第３の実施形態に係るチューナモジュール１０，１０Ａ，１０Ｂを採用することから、チューナモジュールを回路基板１２に搭載した時の全体の厚さ寸法をチューナモジュールの厚さ寸法と同じ大きさに抑えることができる。したがって、チューナモジュールが搭載されるたとえばＴＶセットの形状も薄くすることができる。
また、回路基板１２Ｂがチューナモジュール基板の機能を併せ持ち、チューナモジュール基板用の係止位置に配置されることにより、アンテナコネクタ１４の中心を回路基板の部品搭載面と殆ど同一線上に配することができるようになる。
このため、たとえばＴＶセットから外部に露出させる入力コネクタの上下方向の配置に自由度が広がるので、実際にアンテナケーブルを接続する作業を容易にすることができる。
【符号の説明】
【００５２】
１０，１０Ａ，１０Ｂ・・・チューナモジュール、１１・・・チューナモジュール基板、１１１・・・回路（ＩＣ）、１１２・・・芯線用スルーホール、１１３・・・切り起こし部用スルーホール、１１４・・・被係止部、１１５・・・切り込み部、１２，１２Ｂ・・・回路基板、１２１−１〜１２１−４・・・挿入孔、１２２・・・切り込み部、１２３−１，１２３−２・・・スリット部、１３・・・ケース体、１３１・・・切り起こし部、１３２−１〜１３２−４・・・挿入子、１３３・・・支持部、１３４−１，１３４−２・・・係止片、１３５・・・収容空間、１３６・・・コネクタ固定部、１３７・・・係止部、１４・・・アンテナコネクタ、１４１・・・芯線、２０・・・受信装置、２１・・・受信アンテナ、２２・・・チューナモジュール、２３・・・復調部。
【図１】
0005630118.tif 000002
【図２】
0005630118.tif 000003
【図３】
0005630118.tif 000004
【図４】
0005630118.tif 000005
【図５】
0005630118.tif 000006
【図６】
0005630118.tif 000007